(57)【要約】  本発明は、伝送ラインに流れる電流の方向を調節することでデータを受信部に送信する差動電流駆動方式の送信部、差動電流駆動方式の送信部及び前記差動電流駆動方式の送信部と差動電流駆動方式の送信部を具備する差動電流駆動方式のインターフェースシステムに対して開示する。前記差動電流駆動方式の送信部は、電流源、電流方向選択ブロック及び平衡スイッチブロックを具備する。前記電流源は伝送ライン対に電流を供給するか、または前記伝送ライン対から流れる電流をシンクする。前記電流方向選択ブロックは、前記伝送ライン対のうちで一つの伝送ラインに前記電流源から流れる電流を伝達して、残り一つの伝送ラインに流れる電流を前記電流源に伝達する。平衡スイッチブロックは前記伝送ライン対を平衡状態に初期化する。
2012501150.tif 000002
【特許請求の範囲】
【請求項１】
伝送ライン対(ＴＸ＋、ＴＸ−)に電流を供給(source)するか、または前記伝送ライン対から流れる電流をシンク(sink)する電流源２１０と、前記伝送ライン対(ＴＸ＋、ＴＸ−)のうち一つの伝送ラインに前記電流源２１０から流れる電流を伝達して、残り一つの伝送ラインに流れる電流を前記電流源２１０に伝達する電流方向選択ブロック２２０、及び前記伝送ライン対(ＴＸ＋、ＴＸ−)を平衡状態に初期化する平衡スイッチブロック２３０を具備して、
前記電流源２１０は、一端子が第１電圧(ＶＤＤ)に連結されて、他の一端子が前記電流方向選択ブロック２２０の第１端子に連結された電流供給源２１１と、一端子が第２電圧(ＧＮＤ)に連結されて、他の一端子が前記電流方向選択ブロック２２０の第２端子に連結された電流シンク２１２を具備して、
前記平衡スイッチブロック２３０は、一端子が第１伝送ライン(ＴＸ＋)に連結されて、他の一端子が第２伝送ライン(ＴＸ−)に連結された平衡スイッチ(ＳＷ５)と、前記第２伝送ライン(ＴＸ−)と平衡スイッチ(ＳＷ５)との間に設置された抵抗成分２３１を含んで構成されて、前記抵抗成分２３１の値は可変させることができるように構成されることを特徴とする差動電流駆動方式の送信部。
【請求項２】
前記電流方向選択ブロック２２０は、
一端子が前記第１端子に連結されて、他の一端子が第２伝送ライン(ＴＸ−)に連結された第１選択スイッチ(ＳＷ１)と、
一端子が前記第２端子に連結されて、他の一端子が第１伝送ライン(ＴＸ＋)に連結された第２選択スイッチ(ＳＷ２)と、
一端子が前記第１端子に連結されて、他の一端子が前記第１伝送ライン(ＴＸ＋)に連結された第３選択スイッチ(ＳＷ３)と、及び
一端子が前記第２端子に連結されて、他の一端子が前記第２伝送ライン(ＴＸ−)に連結された第４選択スイッチ(ＳＷ４)を具備することを特徴とする請求項１に記載の差動電流駆動方式の送信部。
【請求項３】
前記第１選択スイッチと前記第２選択スイッチ対、そして前記第３選択スイッチと前記第４選択スイッチ対は同時にターンオンされるか、またはターンオフされて、
前記第１選択スイッチと前記第２選択スイッチ対のターンオン及びターンオフ動作は、前記第３選択スイッチと前記第４選択スイッチ対のターンオン及びターンオフ動作とお互いに反対になることを特徴とする請求項２に記載の差動電流駆動方式の送信部。
【請求項４】
前記電流源２１０から前記伝送ライン対(ＴＸ＋、ＴＸ−)に電流を供給(source)するか、または前記伝送ライン対から流れる電流をシンク(sink)する以前に前記伝送ライン対(ＴＸ＋、ＴＸ−)に一定な大きさの電流を供給するか、またはシンクするプリエンファシス回路２４０をさらに具備することを特徴とする請求項１に記載の差動電流駆動方式の送信部。
【請求項５】
前記プリエンファシス回路２４０は、
一端子が第１電圧(ＶＤＤ)に連結された第２電流供給源２４１と、
一端子が前記第２電流供給源２４１の他の一端子に連結されて、他の一端子が第１伝送ライン(ＴＸ＋)に連結された第６スイッチ(ＳＷ６)と、
一端子が第１電圧(ＶＤＤ)に連結された第３電流供給源２４２と、及び
一端子が前記第３電流供給源２４２の他の一端子に連結されて、他の一端子が第２伝送ライン(ＴＸ−)に連結された第７スイッチ(ＳＷ７)を具備することを特徴とする請求項４に記載の差動電流駆動方式の送信部。
【請求項６】
前記電流方向選択ブロック２２０で前記第１伝送ライン(ＴＸ＋)に電流を供給して、前記第２伝送ライン(ＴＸ−)から電流をシンクする時には前記第６スイッチ(ＳＷ６)がターンオンされて、前記第１伝送ライン(ＴＸ＋)に初期電流を供給して、
前記電流方向選択ブロック２２０で前記第２伝送ライン(ＴＸ−)に電流を供給して、前記第１伝送ライン(ＴＸ＋)から電流をシンクする時には前記第７スイッチ(ＳＷ７)がターンオンされて、前記第２伝送ライン(ＴＸ−)に初期電流を供給することを特徴とする請求項５に記載の差動電流駆動方式の送信部。
【請求項７】
前記プリエンファシス回路２４０は、
一端子が第２電圧(ＧＮＤ)に連結された第２電流シンク２４３と、
一端子が前記第２電流シンク２４３の他の一端子に連結されて、他の一端子が第１伝送ライン(ＴＸ＋)に連結された第８スイッチ(ＳＷ８)と、
一端子が第２電圧(ＧＮＤ)に連結された第３電流シンク２４４と、及び
一端子が前記第３電流シンク２４４の他の一端子に連結されて、他の一端子が第２伝送ライン(ＴＸ−)に連結された第９スイッチ(ＳＷ９)をさらに具備することを特徴とする請求項５に記載の差動電流駆動方式の送信部。
【請求項８】
前記電流方向選択ブロック２２０で前記第１伝送ライン(ＴＸ＋)に電流を供給して、前記第２伝送ライン(ＴＸ−)から電流をシンクする時には前記第９スイッチ(ＳＷ９)がターンオンされて、前記第２伝送ライン(ＴＸ−)から初期電流をシンクして、
前記電流方向選択ブロック２２０で前記第２伝送ライン(ＴＸ−)に電流を供給して、前記第１伝送ライン(ＴＸ＋)から電流をシンクする時には前記第８スイッチ(ＳＷ８)がターンオンされて、前記第１伝送ライン(ＴＸ＋)から初期電流をシンクすることを特徴とする請求項７に記載の差動電流駆動方式の送信部。
【請求項９】
伝送しようとするデータによって２個の伝送ラインに流れる電流の方向を調節する送信部と、及び
前記送信部と前記２個の伝送ラインで連結されて、前記２個の伝送ラインに流れる電流の方向を検出してデータを復元するように、一端子が第１伝送ライン(ＴＸ＋)に連結されて、他の一端子が第２伝送ライン(ＴＸ−)に連結された縦断抵抗(Ｒｔ)と、前記縦断抵抗(Ｒｔ)の両端子の電圧差を増幅する差動増幅部３１０で構成された受信部を具備して、
前記送信部は、
前記２個の伝送ラインそれぞれに電流を供給するか、または前記２個の伝送ラインから流れる電流をシンク(sink)する電流源と、
前記２個の伝送ラインのうちで一つの伝送ラインに前記電流源から流れる電流を伝達して、残り一つの伝送ラインに流れる電流を前記電流源に伝達する電流方向選択ブロックと、及び
前記２個の伝送ラインを平衡状態に初期化するために、一端子が第１伝送ライン(ＴＸ＋)に連結されて、他の一端子が第２伝送ライン(ＴＸ−)に連結された平衡スイッチと、前記第２伝送ライン(ＴＸ−)と平衡スイッチとの間に設置された抵抗成分を含んで構成されて、前記抵抗成分の値は可変させることができるように構成される平衡スイッチブロックを具備することを特徴とする差動電流駆動方式のインターフェースシステム。
【請求項１０】
前記２個の伝送ラインのうちで一つの伝送ラインに流れる電流の方向は、他の一つの伝送ラインに流れる電流の方向と反対になることを特徴とする請求項９に記載の差動電流駆動方式のインターフェースシステム。
【請求項１１】
前記２個の伝送ラインに流れる電流の大きさは同一であることを特徴とする請求項９に記載の差動電流駆動方式のインターフェースシステム。
【請求項１２】
前記受信部は、
前記２個の伝送ラインの間に連結された縦断抵抗を具備して、
前記２個の伝送ラインを通じて流れる電流に対応して降下される前記縦断抵抗の両端子間の電圧差を増幅してデータを復元することを特徴とする請求項９に記載の差動電流駆動方式のインターフェースシステム。
【請求項１３】
複数個のコラムドライバーＩＣ５１１によって駆動される複数個のピクセルら(図示せず)が２次元的に配置されたディスプレイパネル５１０と、及び
前記複数個のコラムドライバーＩＣ５１１を駆動する制御信号を生成するタイミング制御装置５２１を具備して、
前記タイミング制御装置５２１は、前記複数個のコラムドライバーＩＣ５１１らを順次に活性化させることを特徴とするディスプレイパネル駆動システム。
【発明の詳細な説明】
【技術分野】
【０００１】
本発明は、差動電流駆動方式の送受信システムに関するものであり、特に、伝送ラインに流れる電流の方向にデータを送受信する差動電流駆動方式の送信部、差動電流駆動方式の受信部及び前記送信部と受信部を具備する差動電流駆動方式のインターフェースシステムに関するものである。
【背景技術】
【０００２】
従来には送信側の半導体チップは、電圧形態の信号を単一伝送ライン(unit transmission line)または、差動伝送ライン対(differential transmission line pair)を通じて送信して、受信側の半導体チップは電圧形態で伝達した信号を感知する方式でなされた。特に、差動伝送ライン対に伝送される差動電圧の場合、二つの差動伝送ラインにそれぞれ伝達する信号の電圧差を利用してデータを認識するが、この方式は半導体チップの間を連結する差動伝送ラインの電気的特性に影響を受けやすい。最近には半導体チップらの間の距離が遠くなっているし、一部新しい形態の伝送方法では伝送ラインが大きいインピーダンス(impedance)を有するようになる。したがって、伝送ラインのインピーダンスと伝送ラインと基板との間のキャパシタンス(capacitance)によって決まる信号に対する時定数(time constance)値が増加するので、データの早い送受信が不可能になる。前記のような理由で電圧差を利用したデータ伝送方式は好適ではなくなって、電流を利用してデータを送受信する電流駆動方式が提示された。
【０００３】
電流駆動方式は、送ろうとするデータを電流の形態で伝達するので、受信部では伝送された電流形態の信号からデータを復元して使用する。電流駆動方式は一つの伝送ラインに一つのデータビットが伝送される単一電流駆動方式と、二つの伝送ラインにお互いに異なる大きさの電流を送って、二つの伝送ラインとの間の電流差を利用してデータを復元する差動電流駆動方式に区分される。
【０００４】
差動電流駆動方式は、送信部で送信しようとするデータに対応されるお互いに異なる大きさの電流を生成させて、二つの伝送ラインを通じて送るようになって、受信部では二つの伝送ラインに流れる電流差を利用してデータを復元する。これは単一電流駆動方式に比べて雑音(noise)に対する伝送信号の歪曲(distortion)は小さいが、二つの伝送ラインらの物理的位置と二つの伝送ラインらの寄生抵抗(parasitic resistance)、寄生インダクタンス(parasitic inductance)及び寄生キャパシタンス(parasitic capacitance)によって伝送ラインの間の信号干渉(interference)が発生するようになるという短所がある。
【０００５】
送信部から受信部に流れる２個の差動電流は、前記２個の差動電流を生成するのに使用される２個の電流源(current source)それぞれが同一な大きさの電流値を生成(source)するか、またはシンク(sink)することを前提にするものであるが、工程偏差によって実際には同じではなくなる場合が発生する。また、受信部に配置された電流源で供給するか、またはシンクする電流が伝送ラインを通じて流入された雑音によって歪曲が発生する場合差動電流信号の品質は低下されるようになる。これを要約すれば、二つの伝送ライン間の信号干渉によって伝送信号は歪曲されて、伝送ラインの時定数が増加するようになって、信号の遷移時間(transient time)が増加して、結局信号の伝送速度が低下するようになる。
【０００６】
図１は従来の差動電流駆動システムの送信部から出力されるトゥルーラインの信号を示す。
【０００７】
図１を参照すれば、前記のような理由で２個の差動電流を生成する電流源がお互いに異なる大きさの電流値を生成させる場合、トゥルーラインに印加される電流の方向が変わる度に一定な偏差(α)、すなわちオフセット(offset)程度大きさのシフト(shift)が発生するということが分かる。
【０００８】
前記のような問題点を含んでいる従来の差動電流駆動方式とこれを具現するシステムは不完全な状態であり、このような問題点がない新しい形態のデータ送受信方法が要求される。
【発明の概要】
【発明が解決しようとする課題】
【０００９】
本発明が解決しようとする技術的課題は、伝送ラインに流れる電流の方向を調節することでデータを受信部に送信する差動電流駆動方式の送信部を提供することにある。
【００１０】
本発明が解決しようとする他の技術的課題は、伝送ラインに流れる電流の方向を感知して送信部から伝送されるデータを復元する差動電流駆動方式の受信部を提供することにある。
【００１１】
本発明が解決しようとするまた他の技術的課題は、伝送ラインに流れる電流の方向を調節することでデータを送受信する差動電流駆動方式のインターフェースシステムを提供することにある。
【課題を解決するための手段】
【００１２】
前記技術的課題を達成するための本発明による差動電流駆動方式の送信部は、電流源、電流方向選択ブロック及び平衡スイッチブロックを具備する。前記電流源は伝送ライン対に電流を供給するか、または前記伝送ライン対から流れる電流をシンクする。前記電流方向選択ブロックは、前記伝送ライン対のうちで一つの伝送ラインに前記電流源から流れる電流を伝達して残り一つの伝送ラインに流れる電流を前記電流源に伝達する。平衡スイッチブロックは、前記伝送ライン対を平衡状態に初期化する。
【００１３】
前記他の技術的課題を達成するための本発明による差動電流駆動方式の受信部は、縦断抵抗及び差動増幅部を具備する。前記縦断抵抗は一端子が第１伝送ラインに連結されて他の一端子が第２伝送ラインに連結される。前記差動増幅部は前記縦断抵抗の両端子の電圧差を増幅する。
【００１４】
前記また他の技術的課題を達成するための本発明による差動電流駆動方式のインターフェースシステムは、送信部、該送信部と２個の伝送ラインで連結された受信部を具備して、前記送信部は送ろうとするデータによって前記２個の伝送ラインに流れる電流の方向を調節して、前記受信部は前記２個の伝送ラインに流れる電流の方向を検出して前記データを復元する。
【発明の効果】
【００１５】
本発明は、伝送ラインに流れる電流の方向を調節することでデータを送受信することで、送受信回路が簡単で消費する電力が少なくて、送受信時に伝送ラインの電気的な特性による影響を受けなくなる長所がある。
【図面の簡単な説明】
【００１６】
【図１】従来の差動電流駆動システムの送信部から出力されるトゥルーラインの信号を示す。
【図２】本発明による差動電流駆動方式の送信部の回路図である。
【図３】本発明による差動電流駆動方式の受信部の回路図である。
【図４】本発明による差動電流駆動方式のインターフェースシステムの回路図である。
【図５】本発明による差動電流駆動方式のインターフェースシステムが具現されたディスプレイパネル駆動システムである。
【図６】本発明による差動電流駆動方式の送信部から出力される第１伝送ライン(トゥルーライン)の信号を示す。
【発明を実施するための形態】
【００１７】
以下では、本発明の具体的な実施例を図面を参照して詳しく説明するようにする。
【００１８】
図２は、本発明による差動電流駆動方式の送信部の回路図である。
【００１９】
図２を参照すれば、差動電流駆動方式の送信部２００は電流源２１０、電流方向選択ブロック２２０、平衡スイッチブロック２３０及びプリエンファシス回路２４０を具備する。
【００２０】
電流源２１０は、伝送ライン対(ＴＸ＋、ＴＸ−)に電流を供給(source)するか、または前記伝送ライン対から流れる電流をシンク(sink)する２個の電流供給源２１１、２１２を具備する。電流供給源２１１は一端子が第１電圧(ＶＤＤ)に連結されて、他の一端子が前記電流方向選択ブロック２２０の第１端子(ｎ１)に連結されて、一定な大きさの電流を第１端子(ｎ１)に供給する。電流シンク２１２は一端子が第２電圧(ＧＮＤ)に連結されて、他の一端子が前記電流方向選択ブロック２２０の第２端子(ｎ２)に連結されて、一定な大きさの電流を第２端子から第２電圧(ＧＮＤ)に供給する。電流供給源２１１から供給される電流の大きさは、電流シンク２１２にシンクされる電流の大きさと同一であり、第１電圧(ＶＤＤ)の電圧準位は第２電圧(ＧＮＤ)の電圧準位に比べて高いことが一般的である。
【００２１】
電流方向選択ブロック２２０は、伝送ライン対(ＴＸ＋、ＴＸ−)のうち一つの伝送ラインに電流源２１０から流れる電流を伝達して、残り一つの伝送ラインに流れる電流を前記電流源２１０に伝達して４個の選択スイッチら(ＳＷ１〜ＳＷ４)を具備する。第１選択スイッチ(ＳＷ１)は、一端子が第１端子(ｎ１)に連結されて、他の一端子が第２伝送ライン(ＴＸ−)に連結される。第２選択スイッチ(ＳＷ２)は一端子が第２端子(ｎ２)に連結されて、他の一端子が第１伝送ライン(ＴＸ＋)に連結される。第３選択スイッチ(ＳＷ３)は、一端子が第１端子(ｎ１)に連結されて、他の一端子が第１伝送ライン(ＴＸ＋)に連結される。第４選択スイッチ(ＳＷ４)は一端子が第２端子(ｎ２)に連結されて、他の一端子が第２伝送ライン(ＴＸ−)に連結される。
【００２２】
ここで、第１選択スイッチ(ＳＷ１)と第２選択スイッチ(ＳＷ２)対(pair)、そして、第３選択スイッチ(ＳＷ３)と第４選択スイッチ(ＳＷ４)対は同時にターンオン(turn on)されるか、またはターンオフ(turn off)されて、第１選択スイッチ(ＳＷ１)と第２選択スイッチ(ＳＷ２)対のターンオン及びターンオフ動作は第３選択スイッチ(ＳＷ３)と第４選択スイッチ(ＳＷ４)対のターンオン及びターンオフ動作とお互いに反対になる。すなわち、第１選択スイッチ(ＳＷ１)及び第２選択スイッチ(ＳＷ２)対がターンオンされれば第３選択スイッチ(ＳＷ３)及び第４選択スイッチ(ＳＷ４)対はターンオフされて、反対に第３選択スイッチ(ＳＷ３)及び第４選択スイッチ(ＳＷ４)対がターンオンされれば、第１選択スイッチ(ＳＷ１)及び第２選択スイッチ(ＳＷ２)対がターンオフされる。
【００２３】
平衡スイッチブロック２３０は、伝送ライン対(ＴＸ＋、ＴＸ−)を平衡状態に初期化して、平衡スイッチ(ＳＷ５)及び抵抗成分２３１を具備する。平衡スイッチ(ＳＷ５)は一端子が第１伝送ライン(ＴＸ＋)に連結されて、他の一端子が第２伝送ライン(ＴＸ−)に連結される。抵抗成分２３１は平衡スイッチ(ＳＷ５)と第２伝送ライン(ＴＸ−)の間に設置される。図２には抵抗成分２３１が第２伝送ライン(ＴＸ−)と平衡スイッチ(ＳＷ５)の間に配置されたが、第１伝送ライン(ＴＸ＋)と平衡スイッチ(ＳＷ５)の間に配置されることも可能である。また、抵抗成分２３１の大きさは、外部(図示せず)で調節できるようにすることも可能である。
【００２４】
プリエンファシス回路２４０は、電流源２１０から伝送ライン対(ＴＸ＋、ＴＸ−)に電流を供給(source)するか、または伝送ライン対から流れる電流をシンク(sink)する以前に伝送ライン対(ＴＸ＋、ＴＸ−)に一定な大きさの電流を供給するか、またはシンクする。
【００２５】
プリエンファシス回路２４０は、４個の電流供給源２４１〜２４４及び４個のスイッチ(ＳＷ６〜ＳＷ９)を具備する。
【００２６】
第２電流供給源２４１は、一端子が第１電圧(ＶＤＤ)に連結される。第３電流供給源２４２は、一端子が第１電圧(ＶＤＤ)に連結される。第２電流シンク２４３は一端子が第２電圧(ＧＮＤ)に連結される。第３電流シンク２４４は一端子が第２電圧(ＧＮＤ)に連結される。
【００２７】
第６スイッチ(ＳＷ６)は、一端子が第２電流供給源２４１の他の一端子に連結されて、他の一端子が第１伝送ライン(ＴＸ＋)に連結される。第７スイッチ(ＳＷ７)は一端子が第３電流供給源２４２の他の一端子に連結されて、他の一端子が第２伝送ライン(ＴＸ−)に連結される。第８スイッチ(ＳＷ８)は一端子が第２電流シンク２４３の他の一端子に連結されて、他の一端子が第１伝送ライン(ＴＸ＋)に連結される。第９スイッチ(ＳＷ９)は一端子が第３電流シンク２４４の他の一端子に連結されて、他の一端子が第２伝送ライン(ＴＸ−)に連結される。
【００２８】
ここで電流方向選択ブロック２２０を構成する平衡スイッチら(ＳＷ１〜ＳＷ４)及びプリエンファシス回路２４０を構成するスイッチら(ＳＷ６〜ＳＷ９)のターンオン及びターンオフ周期とターンオン抵抗値らは使用されるシステムによって異なるように設計することが望ましい。
【００２９】
以下では、図２に示された送信部２００の動作に対して説明する。
【００３０】
伝送しようとするデータの形態は、２個の伝送ライン(ＴＸ＋、ＴＸ−)に流れる電流の方向で決まるということが本発明の核心アイディアである。
【００３１】
第１伝送ライン(ＴＸ＋)から第２伝送ライン(ＴＸ−)に電流を流れるようにする場合、第３選択スイッチ(ＳＷ３)及び第４選択スイッチ(ＳＷ４)がターンオンされて、第１選択スイッチ(ＳＷ１)及び第２選択スイッチ(ＳＷ２)はターンオフされる。反対に、第２伝送ライン(ＴＸ−)から第１伝送ライン(ＴＸ＋)に電流を流れるようにする場合、第１選択スイッチ(ＳＷ１)及び第２選択スイッチ(ＳＷ２)をターンオンさせて、第３選択スイッチ(ＳＷ３)及び第４選択スイッチ(ＳＷ４)をターンオフさせれば良い。
【００３２】
本発明ではデータの伝送速度を増加させるためにプリエンファシス回路２４０を使用するが、電流方向選択ブロック２２０で第１伝送ライン(ＴＸ＋)に電流を供給して第２伝送ライン(ＴＸ−)から電流をシンクする時には第６スイッチ(ＳＷ６)をターンオンさせて第１伝送ライン(ＴＸ＋)に初期電流を供給する。速度をさらに増加させるためには第９スイッチ(ＳＷ９)をターンオンさせて第２伝送ライン(ＴＸ−)から初期電流をシンクさせれば良い。反対に電流方向選択ブロック２２０で第２伝送ライン(ＴＸ−)に電流を供給して、第１伝送ライン(ＴＸ＋)から電流をシンクする時には第７スイッチ(ＳＷ７)をターンオンさせて、第２伝送ライン(ＴＸ−)に初期電流を供給するようにするか、または第８スイッチ(ＳＷ８)をさらにターンオンさせて、第１伝送ライン(ＴＸ＋)から初期電流をシンクするようにする。
【００３３】
本発明では平衡スイッチブロック２３０に伝送ライン対(ＴＸ＋、ＴＸ−)を平衡状態に初期化するために使用される平衡スイッチ(ＳＷ５)外にも抵抗成分２３１をさらに使った。これは伝送ライン対(ＴＸ＋、ＴＸ−)が平衡状態に行く瞬間発生することがある電磁波干渉(Electro Magnetic Interference)を抑制するためのものである。
【００３４】
図３は、本発明による差動電流駆動方式の受信部の回路図である。
【００３５】
図３を参照すれば、差動電流駆動方式の受信部(３００)は、縦断抵抗(Ｒｔ)及び差動増幅部３１０を具備する。縦断抵抗(Ｒｔ)は一端子が第１伝送ライン(ＴＸ＋)に連結されて、他の一端子が第２伝送ライン(ＴＸ−)に連結される。差動増幅部３１０は縦断抵抗(Ｒｔ)の両端子の電圧差を増幅する。２個の伝送ライン(ＴＸ＋、ＴＸ−)の間を流れる電流は縦断抵抗(Ｒｔ)を経由するようになるが、流れる電流の方向によって縦断抵抗(Ｒｔ)両端に降下される電圧は変わる。降下される電圧差はとても小さいので、差動増幅部３１０でこれを増幅して使用することが望ましい。図３に示された差動電流駆動方式の受信部３００には、実際にはさらに多い機能ブロックらが存在するが、２個の伝送ライン(ＴＸ＋、ＴＸ−)を通じて受信された差動電流信号(Ｉｒｘ＋、Ｉｒｘ−)を感知するのに使用される最小限の回路のみを示したものである。
【００３６】
前述したところのように、送信部２００で送信した差動電流信号を受信部３００で極めて簡単に感知することができる。流れる電流の方向をデータの復元に使用するために、伝送ラインらの電気的な特性がデータの復元にほとんど影響を与えなくなる。したがって、従来の差動電流駆動方式で問題になったものなどが本発明では何らの影響を及ぼさなくなる。
【００３７】
従来の送信部(図示せず)では３個の電流源(図示せず)を使用することに比べて本願発明の送信部２００の場合２個の電流源２１１、２１２のみを使用するという点で、従来の場合に比べて消費電力が減少するようになるであろう。
【００３８】
図４は、本発明による差動電流駆動方式のインターフェースシステムの回路図である。
【００３９】
図４を参照すれば、差動電流駆動方式のインターフェースシステム４００は、送信部４１０、受信部４２０及び伝送ライン４３０を具備する。
【００４０】
送信部４１０と受信部４２０との間に配置された伝送ライン４３０は２個であり、送信部４１０は送ろうとするデータによって２個の伝送ラインに流れる電流の方向を調節して、受信部４２０は２個の伝送ラインに流れる電流の方向を検出してデータを復元する。したがって、２個の伝送ラインのうちで一つの伝送ラインに流れる電流の方向は他の一つの伝送ラインに流れる電流の方向と反対になって、２個の伝送ラインに流れる電流の大きさは同一にすることが望ましい。
【００４１】
図４に示された送信部４１０及び受信部４２０は、図２及び図３に示された送信部２００と受信部３００に対応されるので、詳しい説明は略する。
【００４２】
図５は、本発明による差動電流駆動方式のインターフェースシステムが具現されたディスプレイパネル駆動システムである。
【００４３】
図５を参照すれば、ディスプレイパネル駆動システム５００は、ＦＰＣ(Flexible Printed Circuit)５３０で相互連結されたディスプレイパネル５１０及びＰＣＢ(Printed Circuit Board)５２０を具備する。
【００４４】
ディスプレイパネル５１０は、複数個のコラムドライバーＩＣ５１１によって駆動される複数個のピクセルら(図示せず)が２次元的に配置されている。複数個のコラムドライバーＩＣ５１１らは、ＦＰＣ５３０及びＬＯＧ５１２を通じて連結されたタイミング制御装置５２１から受信された制御信号によって動作して、タイミング制御装置５２１はＰＣＢ５２０に設置される。
【００４５】
ここで、ＬＯＧ(Line On Glass)５１２は、ディスプレイパネル５１０が硝子(Glass)に形成されたことを仮定したものであり、ディスプレイパネル５１０の材質によって異なるように設計することも可能である。
【００４６】
図５を参照すれば、水平方向に複数個のコラムドライバーＩＣ５１１らが設置されているが、これらを同時に動作させる場合ＥＭＩ(electromagnetic interference)が発生することもある。タイミング制御装置５２１は前記複数個のコラムドライバーＩＣ５１１らを同時に活性化させないで順次に活性化させることでＥＭＩを防止することができる。
【００４７】
図６は、本発明による差動電流駆動方式の送信部から出力される第１伝送ライン(トゥルーライン)の信号を示す。
【００４８】
図６を参照すれば、第１伝送ライン(トゥルーライン、ＴＸ＋)で検出される信号は、オフセットの影響を受けないので電流の方向が変わっても信号の大きさが変わらないということが分かる。
【００４９】
前述したところのように、本発明によるシステムの場合電流の経路が一つになったし、縦断抵抗(Ｒｔ)を受信部３００に内蔵させることで、送信部及び受信部のうちでいずれか一方で発生される雑音が残り一方の信号にそのまま現われるようになる共通雑音の形態になるために、従来のシステムで問題になった雑音の問題が解消される。また、平衡スイッチブロック２３０を使用することで、ＶＩＤ(Voltage of Input Difference)の大きさの変化を最小限に抑制して、プリエンファシス回路２４０を使用することでデータの伝送速度を向上させる。
【００５０】
以上では本発明に対する技術思想を添付図面とともに敍述したが、これは本発明の望ましい実施例を例示的に説明したものであって、本発明を限定するものではない。また、本発明が属する技術分野で通常の知識を持った者なら誰も本発明の技術的思想の範疇を離脱しない範囲内で多様な変形及び模倣が可能であることは明白な事実である。
【符号の説明】
【００５１】
２００  送信部
２１０  電流源
２２０  電流方向選択ブロック
２３０  平衡スイッチブロック
２４０  プリエンファシス回路
【図１】
2012501150.tif 000003
【図２】
2012501150.tif 000004
【図３】
2012501150.tif 000005
【図４】
2012501150.tif 000006
【図５】
2012501150.tif 000007
【図６】
2012501150.tif 000008
【国際調査報告】
2012501150.tif 000009
2012501150.tif 000010
2012501150.tif 000011
2012501150.tif 000012
2012501150.tif 000013
2012501150.tif 000014